(57)【特許請求の範囲】
【請求項１】
電線の所定のパスラインに沿って配置されるベース部と、
前記ベース部に互いに接離自在に設けられかつ互いに近づいた際に同期して駆動して前記電線を前記パスラインに沿って送るとともに、それぞれ、前記ベース部に支持されたベルト送り台と、このベルト送り台に回転自在に支持された駆動プーリと、前記ベルト送り台に回転自在に支持された従動プーリと、前記駆動プーリと前記従動プーリとの双方に掛け渡されたベルトとを有した一対のベルト送りユニットと、
前記一対のベルト送りユニットより前記パスラインの上流側に設けられかつ前記電線を通す入口側ノズルと、
前記一対のベルト送りユニットより前記パスラインの下流側に設けられかつ前記電線を通す出口側ノズルと、
前記一対のベルト送りユニット相互間に対し前記パスラインに沿って接離自在に設けられかつ一対のベルト送りユニットが互いに離れた際にこれら一対のベルト送りユニット相互間に侵入して前記電線を前記入口側ノズルから前記出口側ノズルに向かって案内可能であり、前記一対のベルト送りユニットが互いに接離する方向に対し交差する方向に沿って互いに並設しかつ互いの間に前記電線を挟むとともに、前記一対のベルト送りユニットのベルトの互いに相対する一部分が、前記一対のベルト送りユニットが互いに接離する方向に沿って互いの間に電線を挟んで前記入口側ノズルから前記出口側ノズルに向かって案内する第２ガイド手段をなす一対のガイド棒を有するとともに、
前記ベース部に取り付けられる案内部と、前記一対のベルト送りユニット相互間に対し接離する方向に沿って前記案内部に移動自在に支持されたスライド部材と、前記一対のガイド棒の前記ベルト送りユニットから離れた基端部を支持する支持部材と、を備え、前記支持部材は、前記一対のガイド棒が前記パスラインに沿って延在して前記一対のベルト送りユニット寄りの先端部が前記一対のベルト送りユニット相互間に相対するガイド位置と前記先端部が前記一対のベルト送りユニット相互間に相対する位置から離れる非ガイド位置とに亘って変位可能に前記スライド部材に支持されたガイド手段と、を備えた電線送り装置において、前記ガイド手段は、
前記一対のガイド棒が前記一対のベルト送りユニットに近づく方向に前記スライド部材が前記案内部に対し移動すると、前記一対のガイド棒を前記ガイド位置に保つ保持手段と、
前記一対のガイド棒が前記一対のベルト送りユニットから離れる方向に前記スライド部材が前記案内部に対し移動するのに連動して、前記一対のガイド棒を前記ガイド位置から前記非ガイド位置に向かって変位させる連動手段と、を備えたことを特徴とする電線送り装置。
【請求項２】
前記支持部材は、前記ガイド位置から前記ガイド棒の先端部が上方に向かって変位可能に前記スライド部材に回動自在に支持されており、
前記保持手段は、前記ガイド位置から前記ガイド棒の先端部が下方に向かって変位することを規制するとともに、
前記連動手段は、前記一対のガイド棒が前記一対のベルト送りユニットから離れる方向に前記スライド部材が前記案内部に対し移動すると、前記支持部材の端部と当接して、前記ガイド位置から非ガイド位置に向かって前記支持部材を回転させることを特徴とする請求項１記載の電線送り装置。
【請求項３】
前記ガイド手段は、
前記案内部の一部分に係止して、前記連動手段によって前記ガイド位置から前記非ガイド位置に向かって変位させられた前記一対のガイド棒を前記非ガイド位置に保つ維持部材を備えたことを特徴とする請求項１または請求項２記載の電線送り装置。
【請求項４】
維持部材は、
前記スライド部材から接離自在に設けられかつ付勢手段によって前記スライド部材に向かって付勢された部材本体と、
前記部材本体に設けられかつ前記一対のガイド棒が前記一対のベルト送りユニットから離れる方向に前記スライド部材が前記案内部に対し移動すると前記案内部の一部分と当接するとともに前記案内部の一部分に係止可能な係止爪と、
を備えたことを特徴とする請求項３記載の電線送り装置。
【発明の詳細な説明】
【０００１】
【発明の属する技術分野】
本発明は、電線の端末を加工処理する等のために電線を所定のパスラインに沿って送る電線送り装置に関する。
【０００２】
【従来の技術】
電線の端末に皮むきなどの各種の加工処理を施すためなどに、前記電線を送る電線送り装置が用いられることがある。このような、電線送り装置として、例えば、ベース部と、一対のローラなどを備えたものが知らされている。前記ベース部は、前記電線の送り方向（以下パスラインと呼ぶ）に沿って平坦な平坦面を有している。
【０００３】
前記ローラは、それぞれ前記ベース部に回転自在に設けられている。前記ローラは、前記平坦面から突出した状態で配されている。前記ローラは、それぞれモータなどの駆動源によって回転駆動される。前記一対のローラは、外縁部が前記パスラインを挟んで互いに相対する位置に配されている。前記一対のローラは、互いに接離自在に設けられている。
【０００４】
前述した構成の従来の電線送り装置は、一対のローラを互いに近づけて相互間に電線を挟み、これらのローラを回転駆動することによって、前記パスラインに沿って前記電線を送る。
【０００５】
一方、自動車などのエンジンルーム内に配される電線は、耐熱性を向上させるために、被覆部が比較的堅い樹脂などから形成されている。このような、比較的堅い樹脂からなる被覆部は、例えば、断面が扁平する方向に押圧された際に、断面形状が扁平するように塑性変形し易いとともに、表面が比較的傷つき易い。
【０００６】
前述した比較的堅い被覆部を有する電線を、前述した従来の電線送り装置を用いて送ると、前記一対のローラが前記電線と略点で接するため、電線の断面形状が扁平するように塑性変形したり、電線の表面が傷ついたりする。このように、従来の電線送り装置は、比較的堅い樹脂からなる被覆部を有する電線を送る際に、不都合が生じる。
【０００７】
しかしながら、前述した問題を解決するために、前記ローラの代わりに無端ベルトで電線を送る電線送り装置が提案されている。この種の電線送り装置は、互いに接離自在に設けられた一対のベルト送りユニットと、これらベルト送りユニットより前記パスラインの上流側に設けられた入口側ノズルと、前記ベルト送りユニットより前記パスラインの下流側に設けられた出口側ノズルと、を備えている。
【０００８】
前記一対のベルト送りユニットは、それぞれ、モータなどの駆動源によって回転駆動される駆動プーリと、回転自在に設けられた従動プーリと、前記駆動プーリと従動プーリとに張力を付与された状態で掛け渡された無端ベルトなどを備えている。入口側ノズルと出口側ノズルとは、それぞれ、内側に電線を通すことが可能である。
【０００９】
前述した電線送り装置は、前記一対のベルト送りユニットを互いに離して、電線をパスラインの上流側から入口側ノズル及び出口側ノズル内に通す。そして、前記一対のベルト送りユニットを互いに近づけてこれらのベルト送りユニット間に電線を挟み、これらベルト送りユニットの駆動プーリを回転駆動することによって、前記電線を送る。
【００１０】
【発明が解決しようとする課題】
前述した従来の電線送り装置は、前記一対のベルト送りユニット間に電線を挟んで送る。このため、前述したローラなどを備えた電線送り装置より、無端ベルトの電線と当接する箇所がパスラインに沿って長くなっている。このため、前記一対のベルト送りユニットを互いに離して、電線をパスラインの上流側から入口側ノズル及び出口側ノズル内に通す際に、電線の端部などが湾曲していたりすると、入口側ノズル内を通った電線を出口側ノズル内に通しにくくなることが考えられる。
【００１１】
また、出口側ノズルの前記パスラインに沿った長さが長い場合には、出口側ノズル内に侵入した電線の端部が該ノズルの内壁面に引っかかる恐れがあった。電線の端部が出口側ノズルの内壁面に引っかかると、電線が一対のベルト送りユニット相互間で弛み、最悪の場合には一対のベルト送りユニット相互間から外方向に向かってはみ出ることが考えられる。
【００１２】
このように、前述した従来の電線送り装置では、送る電線を取り付けにくい（セットしずらい）ので、該電線を取り付ける準備作業にかかる所要時間が長時間化する傾向となっていた。
【００１３】
したがって、本発明の目的は、送る電線を容易に取り付けることができる電線送り装置を提供することにある。
【００１７】
【課題を解決するための手段】
前記課題を解決し目的を達成するために、請求項１に記載の本発明の電線送り装置は、電線の所定のパスラインに沿って配置されるベース部と、前記ベース部に互いに接離自在に設けられかつ互いに近づいた際に同期して駆動して前記電線を前記パスラインに沿って送るとともに、それぞれ、前記ベース部に支持されたベルト送り台と、このベルト送り台に回転自在に支持された駆動プーリと、前記ベルト送り台に回転自在に支持された従動プーリと、前記駆動プーリと前記従動プーリとの双方に掛け渡されたベルトとを有した一対のベルト送りユニットと、前記一対のベルト送りユニットより前記パスラインの上流側に設けられかつ前記電線を通す入口側ノズルと、前記一対のベルト送りユニットより前記パスラインの下流側に設けられかつ前記電線を通す出口側ノズルと、前記一対のベルト送りユニット相互間に対し前記パスラインに沿って接離自在に設けられかつ一対のベルト送りユニットが互いに離れた際にこれら一対のベルト送りユニット相互間に侵入して前記電線を前記入口側ノズルから前記出口側ノズルに向かって案内可能であり、前記一対のベルト送りユニットが互いに接離する方向に対し交差する方向に沿って互いに並設しかつ互いの間に前記電線を挟むとともに、前記一対のベルト送りユニットのベルトの互いに相対する一部分が、前記一対のベルト送りユニットが互いに接離する方向に沿って互いの間に電線を挟んで前記入口側ノズルから前記出口側ノズルに向かって案内する第２ガイド手段をなす一対のガイド棒を有するとともに、前記ベース部に取り付けられる案内部と、前記一対のベルト送りユニット相互間に対し接離する方向に沿って前記案内部に移動自在に支持されたスライド部材と、前記一対のガイド棒の前記ベルト送りユニットから離れた基端部を支持する支持部材と、を備え、前記支持部材は、前記一対のガイド棒が前記パスラインに沿って延在して前記一対のベルト送りユニット寄りの先端部が前記一対のベルト送りユニット相互間に相対するガイド位置と前記先端部が前記一対のベルト送りユニット相互間に相対する位置から離れる非ガイド位置とに亘って変位可能に前記スライド部材に支持されたガイド手段と、を備えた電線送り装置において、前記ガイド手段は、前記一対のガイド棒が前記一対のベルト送りユニットに近づく方向に前記スライド部材が前記案内部に対し移動すると、前記一対のガイド棒を前記ガイド位置に保つ保持手段と、前記一対のガイド棒が前記一対のベルト送りユニットから離れる方向に前記スライド部材が前記案内部に対し移動するのに連動して、前記一対のガイド棒を前記ガイド位置から前記非ガイド位置に向かって変位させる連動手段と、を備えたことを特徴としている。
【００１８】
請求項２に記載の本発明の電線送り装置は、請求項１に記載の電線送り装置において、前記支持部材は、前記ガイド位置から前記ガイド棒の先端部が上方に向かって変位可能に前記スライド部材に回動自在に支持されており、前記保持手段は、前記ガイド位置から前記ガイド棒の先端部が下方に向かって変位することを規制するとともに、前記連動手段は、前記一対のガイド棒が前記一対のベルト送りユニットから離れる方向に前記スライド部材が前記案内部に対し移動すると、前記支持部材の端部と当接して、前記ガイド位置から非ガイド位置に向かって前記支持部材を回転させることを特徴としている。
【００１９】
請求項３に記載の本発明の電線送り装置は、請求項１または請求項２に記載の電線送り装置において、前記ガイド手段は、前記案内部の一部分に係止して、前記連動手段によって前記ガイド位置から前記非ガイド位置に向かって変位させられた前記一対のガイド棒を前記非ガイド位置に保つ維持部材を備えたことを特徴としている。
【００２０】
請求項４に記載の本発明の電線送り装置は、請求項３に記載の電線送り装置において、維持部材は、前記スライド部材から接離自在に設けられかつ付勢手段によって前記スライド部材に向かって付勢された部材本体と、前記部材本体に設けられかつ前記一対のガイド棒が前記一対のベルト送りユニットから離れる方向に前記スライド部材が前記案内部に対し移動すると前記案内部の一部分と当接するとともに前記案内部の一部分に係止可能な係止爪と、を備えたことを特徴としている。
【００２１】
請求項１に記載された本発明によれば、一対のベルト送りユニットが互いに離れた際に、入口側ノズル内に挿入された電線は、一対のベルト送りユニット相互間に侵入したガイド棒によって、出口側ノズル内に案内される。
【００２２】
一対のガイド棒は、一対のベルト送りユニットが互いに接離する方向に対し交差する方向に沿って、互いの間に電線を挟む。一対のベルト送りユニットのベルトの互いに相対する一部分は、前記一対のベルト送りユニットが互いに接離する方向に沿って、互いの間に電線を挟む。このように、電線は、前記一対のベルト送りユニットが互いに接離する方向と、この接離する方向に対し交差する方向と、の双方に沿って、一対のベルト送りユニット相互間から抜け出ることが防止される。
【００２３】
先端部が一対のベルト送りユニット相互間に相対するガイド位置と、前記先端部が一対のベルト送りユニット相互間に相対する位置から離れる非ガイド位置と、に亘って、ガイド棒が変位自在となっている。このため、電線を一対のベルト送りユニット相互間に取り付ける準備作業時以外には、前記非ガイド位置に変位させることによって、前記ガイド棒が一対のベルト送りユニットによって送られている電線と干渉することを防止できる。
【００２４】
ガイド棒は、一対のベルト送りユニットに近づくと、保持手段によってガイド位置に保たれる。このため、ガイド棒を、一対のベルト送りユニットに近づけるだけで、一対のベルト送りユニット相互間に挿入できる。ガイド棒は、一対のベルト送りユニットから離れると、連動手段によってガイド位置から非ガイド位置に向かって変位される。このため、ガイド棒を一対のベルト送りユニットから離すだけで、非ガイド位置に確実に変位させることができる。
【００２５】
請求項２に記載された本発明によれば、支持部材がスライド部材に回動自在に支持され、保持手段はガイド棒の先端部がガイド位置から下方に向かって変位することを規制している。このため、ガイド棒は、一対のベルト送りユニットに近づけられると、自重などによってガイド位置に変位して、このガイド位置に保たれる。
【００２６】
連動手段は、一対のベルト送りユニットから離れた支持部材の端部と当接してガイド棒を非ガイド位置に変位させる。このため、ガイド棒を、一対のベルト送りユニットから離すだけで非ガイド位置に確実に変位させることができる。
【００２７】
請求項３に記載された本発明によれば、維持部材が、案内部に係止して、ガイド棒を非ガイド位置に保つ。このため、電線を一対のベルト送りユニット相互間に取り付ける準備作業時以外には、前記ガイド棒が一対のベルト送りユニットによって送られている電線と干渉することをより確実に防止できる。
【００２８】
請求項４に記載された本発明によれば、部材本体に設けられた係止爪が、ガイド棒が一対のベルト送りユニットから離されると案内部に当接する。部材本体がスライド部材に対し接離自在に設けられかつ付勢手段によってスライド部材に向かって付勢されている。
【００２９】
このため、ガイド棒を一対のベルト送りユニットから離すと、係止爪が案内部と当接して、一旦係止爪が案内部を乗り越えるように、部材本体がスライド部材から離れる。さらに、ガイド棒を一対のベルト送りユニットから離すと、係止爪が案内部を乗り越えて、付勢手段の付勢力によって部材本体がスライド部材に近づくとともに、係止爪が案内部に係止する。
【００３０】
このように、ガイド棒を、一対のベルト送りユニットから離すだけで非ガイド位置に確実に変位させることができるとともに、係止爪が案内部に係止して非ガイド位置に確実に保つことができる。
【００３１】
【発明の実施の形態】
本発明の一実施形態にかかる電線送り装置１を、図１ないし図１２を参照して説明する。電線送り装置１は、電線５（図１２などに示す）に皮むき加工などの各種の加工を施す際に用いられる。電線送り装置１は、前記電線５を送る装置である。電線送り装置１は、図１などに示すように、ベース部としてのベース壁６と、一対のベース台２と、入口側ノズル３と、図示しない移動機構と、図示しない回転駆動機構と、一対のベルト送りユニット４と、出口側ノズル１５と、ガイド手段としてのガイドユニット１６と、を備えている。
【００３２】
ベース壁６は、例えば、皮むき機などの電線５に加工を施す装置の装置本体を構成している。ベース壁６は、その表面が、図中に一点鎖線Ｐで示す前記電線５を送るパスラインに沿って略平坦に形成されている。なお、パスラインＰとは、電線５を送る方向を示しており、図示例では直線状となっている。このように、ベース壁６は、表面がパスラインＰに沿うことによって、本明細書の特許請求の範囲に記載したように、前記パスラインＰに沿う。
【００３３】
一対のベース台２は、それぞれ、ベース壁６に（図１などに示す）にボルトなどによって固定される。ベース台２は、それぞれ、板状に形成されている。ベース台２は、長手方向がパスラインＰに沿った状態で配されている。
【００３４】
一対のベース台２は、パスラインＰを互いの間に挟む位置に配されている。一対のベース台２は、互いにパスラインＰに関して対称な位置に配されている。また、ベース台２は、その表面が略平坦に形成されている。ベース台２の表面は、パスラインＰに沿っている。
【００３５】
入口側ノズル３は、ベース壁６に固定されている。入口側ノズル３は、図１及び図２などに示すように、一対のベルト送りユニット４よりパスラインＰの上流側に設けられている。入口側ノズル３は、電線５を案内する電線案内孔７と、一対のガイド棒挿入孔１７と、を備えている。電線案内孔７は、パスラインＰに沿って、入口側ノズル３の母材を貫通している。電線案内孔７は、内側に電線５が通る。
【００３６】
一対のガイド棒挿入孔１７は、それぞれ、パスラインＰに沿って入口側ノズル３の母材を貫通している。一対のガイド棒挿入孔１７は、互いの間に電線案内孔７を挟む位置に設けられている。電線案内孔７と一対のガイド棒挿入孔１７とは、ベース壁６から接離する方向に沿って互いに並設されている。ガイド棒挿入孔１７は、内側に後述するガイド棒３３が通る。
【００３７】
入口側ノズル３は、ガイド棒挿入孔１７内にガイド棒３３を通しかつ電線５を電線案内孔７内に通して、該電線５をパスラインＰに沿って一対のベルト送りユニット４相互間に送り出す。
【００３８】
移動機構は、ベース台２それぞれに支持された一対のベルト送りユニット４を、互いに近接した位置（図２などに示す）と、互いに離れた位置（図１０などに示す）とに亘って、移動させる。図示例では、移動機構は、双方のベルト送りユニット４を移動させることによって、これらのベルト送りユニット４を接離させる。
【００３９】
また、図示例では、移動機構は、第１の駆動機構と、第２の駆動機構と、を備えている。第１の駆動機構は、前記電線５に皮むき加工などを施す際に一対のベルト送りユニット４を接離させる。第１の駆動機構は、図示例では、従来から周知の駆動モータと該駆動モータの出力軸の回転に連動するカム機構と前記カム機構に連動して前記一対のベルト送りユニット４を接離させるリンク機構と、を備えている。
【００４０】
第２の駆動機構は、前記ベルト送りユニット４相互間に電線５を取り付ける準備作業時に一対のベルト送りユニット４を接離させる。第２の駆動機構は、図示例では、伸縮自在なロッドを有するエアシリンダなどを備えている。このエアシリンダは、ロッドを伸縮させることによって前記リンク機構を動作させて、一対のベルト送りユニット４を互いに接離させる。
【００４１】
なお、本発明では、前記一対のベルト送りユニット４のうち少なくとも一方を移動させるようにすれば良く、勿論、一対のベルト送りユニット４のうち一方のみを前記移動機構が移動させて、一対のベルト送りユニット４を接離させても良い。
【００４２】
回転駆動機構は、駆動源としての図示しないモータと、一対の回転軸８と、を備えている。モータは、回転軸８それぞれを軸芯回りに回転駆動させる。モータは、回転軸８を軸芯回りに回転駆動することによって、一対のベルト送りユニット４それぞれの後述する駆動プーリ１０を回転駆動する。回転軸８の端部にはねじ溝が形成されている。このねじ溝には、ナット１４が螺合する。一対の回転軸８は、パスラインＰを挟んで相対する位置に配されている。一対の回転軸８は、互いにパスラインＰに関して対称な位置に配されている。
【００４３】
一対のベルト送りユニット４は、それぞれ、ベース台２に支持されている。一対のベルト送りユニット４は、それぞれ、図１及び図２などに示すように、ベルト送り台９と、駆動プーリ１０と、第１の従動プーリ１１と、第２の従動プーリ１２と、ベルトとしての無端ベルト１３と、を備えている。
【００４４】
ベルト送り台９は、平板状に配されかつベース台２上に支持されている。即ち、ベルト送り台９は、ベース壁６に支持されている。ベルト送り台９には、回転軸８が貫通している。ベルト送り台９の表面からねじ溝が形成された回転軸８の端部が突出している。
【００４５】
駆動プーリ１０は、ベルト送り台９上に図示しない転がり軸受などによって回転自在に支持されている。駆動プーリ１０は、中央に図示しない貫通孔を設けている。駆動プーリ１０は、貫通孔内に回転軸８の端部を通し、この回転軸８の端部にナット１４を螺合させることによって、回転軸８に対し固定される。駆動プーリ１０は、回転軸８とともに回転する。
【００４６】
一対のベルト送りユニット４相互の駆動プーリ１０は、パスラインＰを挟んで互いに相対する位置に配されている。一対のベルト送りユニット４相互の駆動プーリ１０は、パスラインＰに関して対称な位置に配されている。
【００４７】
第１の従動プーリ１１は、ベルト送りユニット４毎に一つ配されている。第１の従動プーリ１１は、駆動プーリ１０より小径でかつ第２の従動プーリ１２より大径に形成されている。それぞれの第１の従動プーリ１１は、ベルト送り台９上に回転自在に支持されている。
【００４８】
第１の従動プーリ１１は、パスラインＰに沿って駆動プーリ１０と離間した位置に配されている。第１の従動プーリ１１は、パスラインＰに沿って、駆動プーリ１０との間に第２の従動プーリ１２を挟む位置に配されている。第１の従動プーリ１１は、パスラインＰに対し交差する方向に沿って第２の従動プーリ１２と離間した位置に配されている。第１の従動プーリ１１は、その回転中心が、駆動プーリ１０の回転中心よりパスラインＰから離れた位置に配されている。
【００４９】
第２の従動プーリ１２は、ベルト送りユニット４毎に一つまたは二つ以上配されている。図示例では、第２の従動プーリ１２は、ベルト送りユニット４毎に三つ設けられている。それぞれの第２の従動プーリ１２は、駆動プーリ１０と第１の従動プーリ１１との双方より小径に形成されている。それぞれの第２の従動プーリ１２は、ベルト送り台９上に回転自在に支持されている。それぞれの第２の従動プーリ１２は、回転位置が規制された状態でベルト送り台９に支持されている。
【００５０】
一つのベルト送りユニット４の第２の従動プーリ１２は、パスラインＰに沿って互いに並設されている。一つのベルト送りユニット４の第２の従動プーリ１２は、パスラインＰに沿って駆動プーリ１０と並設されている。即ち、一つのベルト送りユニット４の駆動プーリ１０と第２の従動プーリ１２とは、パスラインＰに沿って並設されている。
【００５１】
一つのベルト送りユニット４の第２の従動プーリ１２は、回転中心が、駆動プーリ１０の回転中心よりパスラインＰ寄りに配されている。一つのベルト送りユニット４の駆動プーリ１０と第２の従動プーリ１２とは、パスラインＰ寄りの周縁を互いに結んで形成される線分が、パスラインＰに沿う位置に配されている。
【００５２】
一対のベルト送りユニット４相互の従動プーリ１１，１２は、パスラインＰを挟んで互いに相対する位置に配されている。一対のベルト送りユニット４相互の従動プーリ１１，１２は、パスラインＰに関して対称な位置に配されている。一対のベルト送りユニット４相互の第２の従動プーリ１２の相互間の間隔は、一対のベルト送りユニット４相互の駆動プーリ１０相互間の間隔と、略等しくなる位置に配されている。
【００５３】
図示例では、第２の従動プーリ１２を三つ設けているが、本発明では第２の従動プーリ１２を一つのみ設けても良く、勿論二つ以上設けても良い。なお、前述した第１の従動プール１１と第２の従動プーリ１２とは、それぞれ、本明細書に記した従動プーリをなしている。
【００５４】
無端ベルト１３は、輪状のベルトであり、駆動プーリ１０と三つの第２の従動プーリ１２と第１の従動プーリ１１とに掛け渡されている。無端ベルト１３は、弾性及び可撓性を有する合成樹脂または天然樹脂からなる。無端ベルト１３は、駆動プーリ１０と三つの第２の従動プーリ１２と第１の従動プーリ１１とに、張力を付与された状態で掛け渡されている。
【００５５】
無端ベルト１３は、駆動プーリ１０と第１の従動プーリ１１との間に掛け渡されかつ、一対のベルト送りユニット４の互いに相対する一部分２０の相互間に電線５を位置させ、回転駆動機構が駆動プーリ１０を回転させて、電線５を送る。
【００５６】
前記一部分２０の電線５の送り方向の上流側に位置した一端部２１は、前記電線５の送り方向の上流側に向かうにしたがって、徐々にパスラインＰから離れる方向に傾斜している。即ち、無端ベルト１３の一端部２１は、パスラインＰに対し傾斜している。なお、前記一端部２１は、前記第１の従動プーリ１１寄りの第２の従動プーリ１２と第１の従動プーリ１１との間に位置する部分を示している。
【００５７】
前記一部分２０の電線５の送り方向の下流側に位置した他端部２２は、パスラインＰに沿っている。なお、前記他端部２２は、前記第１の従動プーリ１１寄りの第２の従動プーリ１２と駆動プーリ１０との間に位置する部分を示している。
【００５８】
前述した構成の一対のベルト送りユニット４は、パスラインＰを挟んで互いに相対する位置に配されている。一対のベルト送りユニット４は、無端ベルト１３の前述した一部分２０が互いに相対向しかつこれら一部分２０相互間に電線５を位置させて送る。このとき、前記他端部２２は、それぞれパスラインＰに沿っている。また、一対のベルト送りユニット４は、駆動プーリ１０がパスラインＰに沿った電線５の送り方向の下流側に位置しかつ第１の従動プーリ１１が電線５の送り方向の上流側に位置した状態で配されている。
【００５９】
一対のベルト送りユニット４は、互いの間に電線５を挟んだ状態で、移動機構によって互いに近づけられかつ回転駆動機構によって駆動プーリ１０が同期して回転駆動されて、電線５をパスラインＰに沿って送る。このとき、電線５が、一部分２０相互間に挟まれて送り出される。なお、前記移動機構によって互いに離れた際の一対のベルト送りユニット４相互間の間隔Ｄ（図１３に示す）は、送り出す電線５の外径Ｒ（図１３に示す）より若干大きい。
【００６０】
出口側ノズル１５は、ベース壁６に固定されている。出口側ノズル１５は、図１及び図２などに示すように、一対のベルト送りユニット４よりパスラインＰの下流側に設けられている。出口側ノズル１５は、電線５を案内する電線案内孔１８を備えている。電線案内孔１８は、パスラインＰに沿って、入口側ノズル１５の母材を貫通している。電線案内孔１８は、内側に電線５を通す。
【００６１】
さらに、出口側ノズル１５には、電線案内孔１８と連通する電線案内パイプ１９が取り付けられている。電線案内パイプ１９は、電線案内孔１８のパスラインＰの下流側に設けられている。電線案内パイプ１９は、内側に電線５を通す。出口側ノズル１５は、入口側ノズル３の電線案内孔７を通りかつ一対のベルト送りユニット４によって送りだされた電線５を、電線案内孔１８内に通してパスラインＰの下流側に送り出す。
【００６２】
ガイドユニット１６は、図１に示すように、一対の電線送りユニット４及び入口側ノズル３よりパスラインＰの上流側に設けられている。ガイドユニット１６は、図１、図３及び図４に示すように、案内部３０と、スライド部材３１と、支持部材３２と、一対のガイド棒３３と、維持部材３４と、リミッタスイッチ３５と、を備えている。
【００６３】
案内部３０は、ベース壁６に取り付けられるベース台３６と、一対の案内軸３７と、連動手段としての連動ピン３８と、を備えている。ベース台３６は、一対の電線送りユニット４及び入口側ノズル３よりパスラインＰの上流側に設けられている。
【００６４】
ベース台３６は、ベース部４０と、一対の縁壁部４１ａ，４１ｂとを備えている。ベース部４０は、ベース壁６の表面に沿って略平坦な板状に形成されている。一対の縁壁部４１ａ，４１ｂは、それぞれベース部４０に対し立設している。一対の縁壁部４１ａ，４１ｂは、それぞれ、パスラインＰに沿って互いに間隔を存するベース部４０の両縁に連なっている。なお、これらの縁壁部４１ａ，４１ｂのうちベルト送りユニット４から離れた一方の縁壁部４１ａは、本明細書に記した案内部３０の一部分をなしている。
【００６５】
それぞれの案内軸３７は、両端がそれぞれ前記縁壁部４１ａ，４１ｂに取付られている。一対の案内軸３７は、それぞれ水平方向に沿って延在している。一対の案内軸３７は、それぞれ、パスラインＰに沿って延在している。一対の案内軸３７は、互いに平行である。
【００６６】
連動ピン３８は、前記一方の縁壁部４１ａに取り付けられている。連動ピン３８は、水平方向に沿って延在しかつ縁壁部４１ａから他方の縁壁部４１ｂに向かって突出している。連動ピン３８は、一対の案内軸３７と平行である。連動ピン３８は、一方の縁壁部４１ａから離れた端部３８ａが、支持部材３２の後述する水平延在部４３の一対のベルト送りユニット４から離れた一端部４３ａに当接可能である。
【００６７】
スライド部材３１は、鉛直方向に沿って延在しかつ厚い帯板状に形成されている。スライド部材３１は、案内軸３７に沿って移動自在に、該案内軸３７に支持されている。スライド部材３１は、案内軸３７に対し移動することによって、一対のベルト送りユニット４に対し接離する。スライド部材３１の下端部には、傾斜面４２が形成されている。
【００６８】
傾斜面４２は、スライド部材３１の下端部から外方向に向かって凸の曲面に形成されている。傾斜面４２は、一対のベルト送りユニット４に近づくのにしたがって徐々に上方に向かうように、水平方向に対し傾斜している。傾斜面４２の一対のベルト送りユニット４から離れた縁部４２ａは、支持部材３２の水平延在部４３と当接可能となっている。前記縁部４２ａは、支持部材３２の水平延在部４３と当接すると、ガイド棒３３を水平方向に沿う状態に保つ。なお、この縁部４２ａは、本明細書に記した保持手段をなしている。
【００６９】
また、スライド部材３１の長手方向即ち鉛直方向に沿った中央部には、外方向に向かって突出した止めボルト４６，４７が取り付けられている。
【００７０】
支持部材３２は、水平延在部４３と、ガイド棒支持部４４と、を備えている。水平延在部４３は、帯板状に形成されており、一端部４３ａが、スライド部材３１の下端部に回動自在に支持されている。水平延在部４３は、前記一端部４３ａより他端部４３ｂが一対のベルト送りユニット４に近づく状態に配されている。水平延在部４３は、他端部４３ｂに、ガイド棒支持部４４を設けている。なお、前記一端部４３ａは、本明細書に記した支持部材３２の端部をなしている。
【００７１】
ガイド棒支持部４４は、ガイド棒３３の一対のベルト送りユニット４から離れた一端部（以下基端部と呼ぶ）３３ａを支持している。ガイド棒支持部４４は、一対のガイド棒３３を互いに平行に支持している。
【００７２】
ガイド棒３３は、それぞれ棒状に形成されかつ水平延在部４３と平行に設けられている。ガイド棒３３は、後述するガイド位置において、水平方向に沿って互いに並設されている。ガイド棒３３は、一対のベルト送りユニット４が互いに接離する方向に対し交差する方向に沿って互いに並設されている。ガイド棒３３は、案内軸３７とスライド部材３１などによって、一対のベルト送りユニット４相互間に対し、パスラインＰに沿って接離自在に設けられている。ガイド棒３３は、一対のベルト送りユニット４が互いに離れた際に、これらのベルト送りユニット４相互間に侵入可能である。
【００７３】
水平延在部４３は、一端部４３ａがスライド部材３１の下端部に回動自在に支持されているので、自重によって他端部４３ｂが下方に向かって変位する。水平延在部４３は、スライド部材３１の縁部４２ａに当接すると、水平方向に沿って延在した状態に保たれる。
【００７４】
水平延在部４３が、パスラインＰ及び水平方向の双方に沿って延在すると、ガイド棒３３は、パスラインＰ及び水平方向の双方に沿って延在する。さらに、ガイド棒３３は、それぞれ一対のベルト送りユニット４寄りの他端部（以下先端部と呼ぶ）３３ｂが、一対のベルト送りユニット４相互間に相対した状態となる。なお、パスラインＰに沿って延在しかつ先端部３３ｂが一対のベルト送りユニット４相互間に相対した状態は、本明細書に記したガイド位置をなしている。
【００７５】
スライド部材３１が案内軸３７に沿って一対のベルト送りユニット４から離れると、水平延在部４３の一端部４３ａが連動ピン３８の端部３８ａに当接する。さらに、スライド部材３１が一対のベルト送りユニット４から離れると、水平延在部４３は、連動ピン３８に押圧されて他端部４３ｂが上方に向かうように回転する。
【００７６】
他端部４３ｂが上方に向かって水平延在部４３が回転すると、ガイド棒３３も先端部３３ｂが上方に向かって変位する。ガイド棒３３は、それぞれの先端部３３ｂが、上方に向かって変位して一対のベルト送りユニット４相互間に相対する位置から離れる。なお、先端部３３ｂが一対のベルト送りユニット４相互間に相対する位置から離れた状態は、本明細書に記した非ガイド位置をなしている。
【００７７】
前述した構成によって、支持部材３２は、一対のガイド棒３３がガイド位置と非ガイド位置とに亘って変位可能に、前記スライド部材３１に回動自在に支持されている。また、支持部材３２は、水平延在部４３に当接する縁部４２ａによって、前記ガイド位置からガイド棒３３の先端部３３ｂが上方に向かって変位可能に、前記スライド部材３１に回動自在に支持されている。
【００７８】
また、前記縁部４２ａは、ガイド棒３３がベルト送りユニット４に近づく方向に、スライド部材３１が案内軸３７に対し移動すると、水平延在部４３と当接して、支持部材３２及びガイド棒３３を前記ガイド位置に保つ。また、縁部４２ａは、前記ガイド位置からガイド棒３３の先端部３３ｂが下方に向かって変位することを規制する。
【００７９】
さらに、連動ピン３８は、一対のガイド棒３３がベルト送りユニット４から離れる方向にスライド部材３１が案内軸３７に対し移動すると、図８（Ａ）に示すように、水平延在部４３の一端部４３ａと当接する。その後、連動ピン３８は、図８（Ｂ）及び図８（Ｃ）に示すように、ガイド位置から非ガイド位置に向かって支持部材３２を回転させる。
【００８０】
即ち、連動ピン３８は、一対のガイド棒３３がベルト送りユニット４から離れる方向にスライド部材３１が案内軸３７に対し移動するのに連動して、ガイド棒３３を前記ガイド位置から非ガイド位置に向かって変位させる。
【００８１】
維持部材３４は、帯板状の部材本体４５と、係止爪４８と、を備えている。部材本体４５は、長手方向が水平方向即ちパスラインＰに沿った状態で配されている。部材本体４５は、ベルト送りユニット４寄りの一端部に、内側に止めボルト４６，４７がそれぞれ通ることのできる孔４９，５０（図３などに示す）を設けている。孔４９，５０は、部材本体４５を貫通している。孔４９，５０は、それぞれ、止めボルト４６，４７の外径より、内径が十分に大きく形成されている。
【００８２】
止めボルト４６の頭と、部材本体４５との間には、付勢手段としてのコイルばね５１（図４などに示す）が設けられている。このコイルばね５１は、部材本体４５をスライド部材３１に向かって付勢している。このような構成によって、部材本体４５は、他端部がベース壁６から離れることを許容されている。
【００８３】
係止爪４８は、部材本体４５のベルト送りユニット４から離れた他端部に設けられている。係止爪４８は、部材本体４５の他端部からベース壁６に向かって突出している。部材本体４５がスライド部材３１に向かって付勢され、かつ、部材本体４５の他端部がベース壁６から離れることを許容されているので、係止爪４８は縁壁部４１ａに係止可能である。
【００８４】
維持部材３４は、スライド部材３１がベルト送りユニット４から離されると、図５に示すように、係止爪４８が縁壁部４１ａに当接する。さらに、スライド部材３１がベルト送りユニット４から離されると、図６に示すように、他端部がベース壁６から離れるように即ち係止爪４８が縁壁部４１ａを乗り越えるように、部材本体４５がコイルばね５１の付勢力に抗してスライド部材３１から離れる。
【００８５】
係止爪４８が縁壁部４１ａを乗り越えると、図７に示すように、コイルばね５１の付勢力によって部材本体４５がスライド部材３１に近づいて、係止爪４８は、縁壁部４１ａに係止する。
【００８６】
維持部材３４は、係止爪４８が縁壁部４１ａに係止すると、連動ピン３８の端部３８ａに支持部材３２の水平延在部４３の一端部４３ａが当接した状態に保つ。維持部材３４は、係止爪４８が縁壁部４１ａに係止すると、ガイド棒３３を前述した非ガイド位置に保つ。
【００８７】
リミッタスイッチ３５は、案内部３０の縁壁部４１ａに取付られている。リミッタスイッチ３５は、縁壁部４１ａに取付られたスイッチ本体５３と、このスイッチ本体５３から突没自在に設けられた接触子５４（図３及び図４などに示す）と、を備えている。スイッチ本体５３は、電線送り装置１の制御をつかさどる図示しない制御装置（コンピュータ）に接続している。接触子５４は、縁壁部４１ａに係止した係止爪４８が設けられた部材本体４５の他端部によって、スイッチ本体５３に没する方向に押圧される。
【００８８】
接触子５４が係止爪４８によってスイッチ本体５３に没する方向に押圧されると、スイッチ本体５３は、前記制御装置に向かって係止爪４８が縁壁部４１ａに係止したことを示す信号を出力する。すると、電線送り装置１は、電線５に皮むきなどの各種の加工を施すことができる。なお、電線送り装置１は、スイッチ本体５３から係止爪４８が縁壁部４１ａに係止したことを示す信号から入力されないと、電線５に皮むきなどの各種の加工を施せないようになっている。
【００８９】
前述した構成によれば、ベルト送りユニット４相互間に電線５を挿入して、電線送り装置１に電線５を取り付ける（セットする）際には、まず、駆動プーリ１０を回転停止状態に保つ。なお、このとき、図９に示すように、係止爪４８が縁壁部４１ａに係止している。
【００９０】
第２の駆動機構によって、図１０に示すように、一対のベルト送りユニット４を相互に離す。ガイド棒３３がベルト送りユニット４に近づく方向に、スライド部材３１を案内軸３７に対し移動する。すると、係止爪４８が縁壁部４１ａを乗り越えるように、部材本体４５の他端部がスライド部材３１から一旦離れて、係止爪４８の縁壁部４１ａに対する係止が解除される。連動ピン３８と、支持部材３２の水平延在部４３とが互いに当接しなくなる。
【００９１】
図１１に示すように、先端部３３ｂが一対のベルト送りユニット４相互間に相対しかつ水平方向に沿って延在したガイド位置にガイド棒３３及び支持部材３２が変位する。このとき、縁部４２ａが水平延在部４３と当接することによって、ガイド棒３３などをガイド位置に保っている。
【００９２】
さらに、ガイド棒３３がベルト送りユニット４に近づく方向に、スライド部材３１を案内軸３７に対し移動すると、図１２に示すように、ガイド棒挿入孔１７を通って先端部３３ｂからガイド棒３３が一対のベルト送りユニット４相互間に侵入する。その後、作業員などが、電線案内孔７を通して電線５を、ガイド棒３３相互間でかつベルト送りユニット４相互間に挿入する。
【００９３】
一対のガイド棒３３は、水平方向に沿って互いの間に電線５を挟んで、入口側ノズル３から出口側ノズル１５の電線案内孔１８に向かって案内する。即ち、一対のガイド棒３３は、図１３に示すように、一対のベルト送りユニット４が互いに接離する方向に対し交差する方向に沿って互いの間に電線５を挟んで案内する。
【００９４】
一対のベルト送りユニット４相互間の間隔は、電線５の外径より若干大きい。このため、無端ベルト１３のうち互いに相対する一部分２０は、図１３に示すように、一対のベルト送りユニット４が互いに接離する方向に沿って互いの間に電線５を挟んで、入口側ノズル３から出口側ノズル１５の電線案内孔１８に向かって案内する。なお、前述した一部分２０は、本明細書に記した第２ガイド手段をなしている。
【００９５】
このように、ガイドユニット１６は、無端ベルト１３の一部分２０と協同して、電線５を、入口側ノズル３から出口側ノズル１５に向かって導く。
【００９６】
一対のベルト送りユニット４相互間に挿入された電線５が出口側ノズル１５の電線案内孔１７内などを通ると、スライド部材３１をベルト送りユニット４から離す。係止爪４８を縁壁部４１ａに係止させる。すると、リミッタスイッチ３５の接触子５４が押圧されて、電線５に皮むき加工などを施せるようになる。第２の駆動機構などによって、一対のベルト送りユニット４を互いに近づける。そして、取り付けた電線５に皮むき加工などの各種の加工を施せるように、電線送り装置１特にベルト送りユニット４を運転する。
【００９７】
本実施形態によれば、一対のベルト送りユニット４が互いに離れた際に、入口側ノズル３内に挿入された電線５は、一対のベルト送りユニット４相互間に侵入したガイド棒３３によって、出口側ノズル１５に案内される。このため、作業員が、ベルト送りユニット４相互間に手や指を挿入することなく、電線５を入口側ノズル３に挿入するだけで取り付ける（セットする）ことができる。したがって、電線５を一対のベルト送りユニット４相互間に容易に取り付けることができる。
【００９８】
一対のガイド棒３３は、一対のベルト送りユニット４が互いに接離する方向に対し交差する方向に沿って、互いの間に電線５を挟む。無端ベルト１３の一部分２０は、前記一対のベルト送りユニット４が互いに接離する方向に沿って、互いの間に電線５を挟む。このように、電線５は、前記一対のベルト送りユニット４が互いに接離する方向と、この接離する方向に対し交差する方向と、の双方に沿って、一対のベルト送りユニット４相互間から抜け出ることが防止される。
【００９９】
このため、作業員がベルト送りユニット４相互間に手や指を挿入することなく、電線５を入口側ノズル３に挿入するだけで容易でかつ確実に取り付けることができる。したがって、電線５を一対のベルト送りユニット４相互間に容易でかつ確実に取り付けることができる。
【０１００】
ガイド棒３３が、ガイド位置と非ガイド位置とに亘って、変位自在となっている。このため、電線５を一対のベルト送りユニット４相互間に取り付ける準備作業時以外には、前記非ガイド位置に変位させることによって、前記ガイド棒３３が一対のベルト送りユニットによって送られている電線５と干渉することを防止できる。したがって、前記電線５がガイド棒３３と干渉するなどして傷つくなどの破損することを防止できる。さらに、前記電線５とガイド棒３３とが互いに干渉しないので、一対のベルト送りユニット４が確実に電線５を送ることができる。
【０１０１】
縁部４２ａが、水平延在部４３と当接して、ガイド棒３３をガイド位置に保つ。このため、ガイド棒３３を、一対のベルト送りユニット４に近づけるだけで、一対のベルト送りユニット４相互間に挿入できる。このように、電線５を一対のベルト送りユニット４相互間に挟む準備作業時の作業員の作業量を抑制できる。
【０１０２】
ガイド棒３３は、一対のベルト送りユニット４から離れると、連動ピン３８と支持部材３２とが互いに当接して非ガイド位置に変位される。このため、ガイド棒３を一対のベルト送りユニット４から離すだけで、非ガイド位置に確実に変位させることができる。さらに、前述した準備作業から、一対のベルト送りユニット４を用いて電線５を送る作業に移る際にかかる作業員の作業量を抑制できる。
【０１０３】
支持部材３２がスライド部材３１に回動自在に支持され、縁部４２ａはガイド棒３３の先端部３３ｂがガイド位置から下方に向かって変位することを規制している。このため、ガイド棒３３は、一対のベルト送りユニット４に近づけられると、自重などによってガイド位置に変位して、このガイド位置に保たれる。このため、ガイド棒３３を、一対のベルト送りユニット４に近づけるだけで、一対のベルト送りユニット４相互間に確実に挿入できる。
【０１０４】
連動ピン３８は、一対のベルト送りユニット４から離れた支持部材３２の端部４３ａと当接してガイド棒３３を非ガイド位置に変位させる。このため、ガイド棒３３を、一対のベルト送りユニット４から離すだけで非ガイド位置に確実に変位させることができる。したがって、作業に必要とされる作業量をより確実に抑制でき該作業にかかる所要時間をより確実に抑制できる。
【０１０５】
維持部材３４の係止爪４８が、縁壁部４１ａに係止して、ガイド棒３３を非ガイド位置に保つ。このため、電線を一対のベルト送りユニット相互間に取り付ける準備作業時以外には、前記ガイド棒３３が一対のベルト送りユニット４によって送られている電線５と干渉することをより確実に防止できる。したがって、前記電線５が破損することを防止でき、一対のベルト送りユニット４が確実に電線５を送ることができる。
【０１０６】
また、互いに離れた状態の一対のベルト送りユニット４相互間の間隔が、電線５の外径より若干大きいので、一対のベルト送りユニット４相互間に、作業員などが指や手などを挿入できない。このため、作業員に対し安全性を確保できる。さらに、リミッタスイッチ３５の接触子５４と係止爪４８とが互いに接触しないと、電線送り装置１が電線５を送ることができない。このため、電線５とガイド棒３３などが干渉することを確実に防止できる。
【０１０７】
【発明の効果】
以上説明したように請求項１に記載の本発明は、ガイド手段が、入口側ノズル内に挿入された電線を出口側ノズル内に案内する。このため、作業員が、ベルト送りユニット相互間に手や指を挿入することなく、電線を入口側ノズルに挿入するだけで取り付けることができる。したがって、電線を一対のベルト送りユニット相互間に容易に取り付けることができる。
【０１０８】
電線が、前記一対のベルト送りユニットが互いに接離する方向と、この接離する方向に対し交差する方向と、の双方に沿って、一対のベルト送りユニット相互間から抜け出ることが防止される。このため、作業員がベルト送りユニット相互間に手や指を挿入することなく、電線を入口側ノズルに挿入するだけで容易でかつ確実に取り付けることができる。したがって、電線を一対のベルト送りユニット相互間に容易でかつ確実に取り付けることができる。
【０１０９】
電線を一対のベルト送りユニット相互間に取り付ける準備作業時以外には、前記ガイド棒を非ガイド位置に変位させることによって、該ガイド棒が一対のベルト送りユニットによって送られている電線と干渉することを防止できる。したがって、電線を一対のベルト送りユニット相互間に容易でかつ確実に取り付けることができることにくわえ、前記電線がガイド棒と干渉するなどして傷つくなどの破損することを防止できる。さらに、前記電線とガイド棒とが互いに干渉しないので、一対のベルト送りユニットが確実に電線を送ることができる。
【０１１０】
ガイド棒を、一対のベルト送りユニットに近づけるだけで、一対のベルト送りユニット相互間に挿入できる。このように、電線を一対のベルト送りユニット相互間に挟む準備作業時の作業員の作業量を抑制できる。
【０１１１】
ガイド棒は、一対のベルト送りユニットから離れると、連動手段によってガイド位置から非ガイド位置に向かって変位される。このため、ガイド棒を一対のベルト送りユニットから離すだけで、非ガイド位置に確実に変位させることができる。さらに、前述した準備作業から、一対のベルト送りユニットを用いて電線を送る作業に移る際にかかる作業員の作業量を抑制できる。
【０１１２】
したがって、電線を一対のベルト送りユニット相互間に容易でかつ確実に取り付けることができることにくわえ、作業に必要とされる作業量を抑制でき該作業にかかる所要時間を抑制できる。
【０１１３】
請求項２に記載の本発明は、ガイド棒が一対のベルト送りユニットに近づけられると、自重などによってガイド位置に変位してこのガイド位置に保たれる。このため、ガイド棒を、一対のベルト送りユニットに近づけるだけで、一対のベルト送りユニット相互間に挿入できる。ガイド棒を、一対のベルト送りユニットから離すだけで非ガイド位置に確実に変位させることができる。
【０１１４】
したがって、電線を一対のベルト送りユニット相互間に容易でかつ確実に取り付けることができることにくわえ、作業に必要とされる作業量をより確実に抑制でき該作業にかかる所要時間をより確実に抑制できる。
【０１１５】
請求項３に記載の本発明は、維持部材が、案内部に係止して、ガイド棒を非ガイド位置に保つ。このため、電線を一対のベルト送りユニット相互間に取り付ける取り付ける準備作業時以外には、前記ガイド棒が一対のベルト送りユニットによって送られている電線と干渉することをより確実に防止できる。したがって、電線を一対のベルト送りユニット相互間に容易でかつ確実に取り付けることができることにくわえ、前記電線が破損することを防止でき、一対のベルト送りユニットが確実に電線を送ることができる。
【０１１６】
請求項４に記載の本発明は、ガイド棒を一対のベルト送りユニットから離すと、係止爪が案内部と当接し、一旦係止爪が案内部を乗り越えるように部材本体がスライド部材から離れて後、係止爪が案内部を乗り越えて係止する。
【０１１７】
このように、ガイド棒を、一対のベルト送りユニットから離すだけで非ガイド位置に確実に変位させることができるとともに、係止爪が案内部に係止して非ガイド位置に確実に保つことができる。したがって、電線を一対のベルト送りユニット相互間に容易でかつ確実に取り付けることができることにくわえ、作業に必要とされる作業量をより一層確実に抑制でき該作業にかかる所要時間をより一層確実に抑制できる。
【図面の簡単な説明】
【図１】本発明の一実施形態にかかる電線送り装置を示す斜視図である。
【図２】図１に示された電線送り装置のベルト送りユニットなどを示す平面図である。
【図３】図１に示された電線送り装置のガイドユニットを示す平面図である。
【図４】図３に示されたガイドユニットを上方からみた上面図である。
【図５】図３に示されたガイドユニットの係止爪と縁壁部とが互いに当接した状態を示す上面図である。
【図６】図３に示されたガイドユニットの係止爪が縁壁部を乗り越える途中を示す上面図である。
【図７】図３に示されたガイドユニットの係止爪が縁壁部に係止した状態を示す上面図である。
【図８】（Ａ）は図３に示されたガイドユニットの支持部材と連動ピンとが互いに当接した状態を示す平面図である。
（Ｂ）は図３に示されたガイドユニットの支持部材が非ガイド位置に変位する途中を示す平面図である。
（Ｃ）は図３に示されたガイドユニットの支持部材が非ガイド位置に変位した状態を示す平面図である。
【図９】図１に示された電線送り装置を示す平面図である。
【図１０】図９に示された電線送り装置の一対のベルト送りユニットが互いに離れた状態を示す平面図である。
【図１１】図１０に示された電線送り装置のガイドユニットがガイド位置に変位した状態を示す平面図である。
【図１２】図１１に示された電線送り装置のガイドユニットのガイド棒が一対のベルト送りユニット相互間に侵入した状態を示す平面図である。
【図１３】図１２に示されたガイド棒が一対のベルト送りユニット相互間に侵入した状態において、無端ベルトとガイド棒と電線との位置関係を模式的に示す説明図である。
【符号の説明】
１  電線送り装置
３  入口側ノズル
４  ベルト送りユニット
５  電線
６  ベース壁（ベース部）
９  ベルト送り台
１０  駆動プーリ
１１  第１の従動プーリ（従動プーリ）
１２  第２の従動プーリ（従動プーリ）
１３  無端ベルト（ベルト）
１５  出口側ノズル
１６  ガイドユニット（ガイド手段）
２０  一部分（第２ガイド手段）
３０  案内部
３１  スライド部材
３２  支持部材
３３  ガイド棒
３３ａ  基端部
３３ｂ  先端部
３４  維持部材
３８  連動ピン（連動手段）
４１ａ  縁壁部（案内部の一部分）
４２ａ  縁部（保持手段）
４３ａ  一端部（支持部材の端部）
４５  部材本体
４８  係止爪
５１  コイルばね（付勢手段）
Ｐ  パスライン
【図１】
0003842964.tif 000002
【図２】
0003842964.tif 000003
【図３】
0003842964.tif 000004
【図４】
0003842964.tif 000005
【図５】
0003842964.tif 000006
【図６】
0003842964.tif 000007
【図７】
0003842964.tif 000008
【図８】
0003842964.tif 000009
【図９】
0003842964.tif 000010
【図１０】
0003842964.tif 000011
【図１１】
0003842964.tif 000012
【図１２】
0003842964.tif 000013
【図１３】
0003842964.tif 000014